(57)【特許請求の範囲】
【請求項１】
少なくとも一端面が開放された中空部を有し、外周面側から流入される空気に含まれる粉塵を捕捉する濾材からなる粉塵除去機構を備える円筒形エアフィルタのフィルタ機能を再生するエアフィルタ再生方法であって、
上記円筒形エアフィルタの外周面に当接される支持部を有する傾斜板の上面に上記傾斜板の傾斜方向に沿って設けられたガイドレール上に周回方向に回転自在に上記円筒形エアフィルタを載置し、
上記円筒形エアフィルタに上記傾斜板を介して振動を付加することにより上記傾斜板のガイドレール上で、上記傾斜板上に回転自在に設けられ、上記傾斜板上に回転自在に載置される上記円筒形エアフィルタと連動して回転しながら上記円筒形エアフィルタの両端面をガイドするガイドローラーにより上記両端面がガイドされた状態で、上記円筒形エアフィルタを回転させながら、上記円筒形エアフィルタの内周面に圧縮空気を吹き付け、
上記振動と上記圧縮空気の吹き付けにより、上記円筒形エアフィルタに付着している粉塵を除去して、エアフィルタ機能を再生することを特徴とするエアフィルタ再生方法。
【請求項２】
少なくとも一端面が開放された中空部を有し、外周面側から流入される空気に含まれる粉塵を捕捉する濾材からなる粉塵除去機構を備える円筒形エアフィルタのフィルタ機能を再生するエアフィルタ再生装置であって、
上記円筒形エアフィルタの外周面に当接される支持部を有する傾斜板上に周回方向に回転自在に上記円筒形エアフィルタが載置される載置部と、
上記傾斜板に振動を付加する振動付加部と、
上記傾斜板を緩衝材を介して支持する支持架台が設けられた筐体と、
上記円筒形エアフィルタの中空部に挿入される位置に吹付ノズル管を有し、上記吹付ノズル管を介して圧縮空気を上記円筒形エアフィルタの内周面に吹き付ける圧縮空気吹付部と
を備え、
上記載置部は、上記傾斜板上に回転自在に設けられ、上記傾斜板上に回転自在に載置される上記円筒形エアフィルタと連動して回転しながら、上記円筒形エアフィルタの両端面をガイドするガイドローラーと、上記傾斜板の上面に上記傾斜板の傾斜方向に沿って設けられたガイドレールとを有し、
上記傾斜板のガイドレール上に載置される上記円筒形エアフィルタに上記振動付加部による振動を上記傾斜板を介して付加することにより上記傾斜板のガイドレール上で上記ガイドローラーにより両端面がガイドされた状態で上記円筒形エアフィルタを回転させながら、上記圧縮空気吹付部により上記円筒形エアフィルタの内周面に圧縮空気を吹き付けて、上記振動付加部による振動と上記圧縮空気吹付部による圧縮空気の吹き付けにより、上記円筒形エアフィルタに付着している粉塵を除去して、エアフィルタ機能を再生することを特徴とするエアフィルタ再生装置。
【請求項３】
上記傾斜板は、水平面に対して７〜８度の傾斜を有し、
上記振動付加部は、振動数が５５〜６０Ｈｚの振動を上記傾斜板に付加することを特徴とする請求項２に記載のエアフィルタ再生装置。
【請求項４】
上記円筒形エアフィルタから離脱して浮遊する粉塵を吸引して回収する粉塵回収部を備え、
上記筐体は、円筒形エアフィルタをセットするための扉と透明窓を有し、密閉されていることを特徴とする請求項２又は３に記載のエアフィルタ再生装置。
【発明の詳細な説明】
【技術分野】
【０００１】
本発明は、重機エンジンの吸気口に使用するエアフィルタを再生するエアフィルタ再生方法及びエアフィルタ再生装置に関する。
【背景技術】
【０００２】
掘削や資材搬入・搬出などに用いられる重機では、ディーゼルエンジンを使用したものが多い。圧縮点火方式の容積型内燃機関であるディーゼルエンジンは、シリンダー内に空気のみを吸込ませ、これを高い圧縮比で圧縮し、その結果として燃料の自然発火以上の温度になった空気中で、燃料を霧状に噴射して自然発火させ、燃料供給中は等圧的に燃焼を持続するようにしている。重機エンジンでは、吸気口に使用するエアフィルタの目詰まりがひどいと、吸入空気量が少なくなり燃費、出力とも低下するので、清掃又は交換を行う必要がある。
【０００３】
一般に、車両エンジンの吸気口には、大気中に含まれる粉塵などを分離し、清浄な空気を供給するためにエアフィルタが設けられている。そして、エアフィルタは、目詰まりによってエンジンへの吸入空気の減少や吸入空気の汚染が発生するので、機能維持のために定期的に清掃し目詰りを取り除き、再生利用している。例えば、濾材に溜まった塵挨を、吸引ノズルを有する真空掃除機を用いて除去し、濾材を再生していた（例えば、特許文献１参照）。
【０００４】
また、例えば、放電加工に使用された使用済みの加工液に含まれるスラッジを除去する湿式フィルタでは、フィルタに振動を与えて、付着した上記スラッジをふるい落とすことにより、上記フィルタを再生していた（例えば、特許文献２参照）。
【先行技術文献】
【特許文献】
【０００５】
【特許文献１】特開２００７−２６０６７１号公報
【特許文献２】実公平０３−０４６８２６号公報
【発明の概要】
【発明が解決しようとする課題】
【０００６】
ところで、掘削や資材搬入・搬出などに用いられる重機、特に坑内車両用のエンジンに使用するエアフィルタの場合、鉱山坑内は粉塵量が多いので、頻繁に清掃作業を行う必要があった。
【０００７】
従来、エアフィルタの洗浄は坑外の通気のよい箇所にて、エアの吹付等で行われており、作業者の粉塵暴露と作業量の多さが課題となっていた。例えば、エアの吹付によって飛散した粉塵を回収するために、大きな労力を必要としていた。また、粉塵暴露の面では、防塵マスク、防塵衣の着用などが必要であった。
【０００８】
また、坑内車両用のエアフィルタは車両の用途によって様々な形状、サイズがある。その形状は基本的に中空の円筒形であるが、一方の底面部分が閉鎖しているタイプもある。そのサイズは大型のもので外径３４０ｍｍ、内径２４０ｍｍ、高さが５００ｍｍ、中型のもので外径３１０ｍｍ、内径２００ｍｍ、高さ４８０ｍｍ、小型のもので外径２１０ｍｍ、内径１１０ｍｍ、高さ３９０ｍｍなどである。
【０００９】
各種サイズのエアフィルタの洗浄作業を定期的に行う必要があり、エアフィルタの洗浄作業量は非常に多く、その手間と作業員の粉塵暴露が問題であった。また、周囲に粉塵が拡散されるため、作業箇所が限られると共に粉塵の拡散を抑制可能な雨の日などを選んで行う必要があった。
【００１０】
上記特許文献１に開示されている技術では、エア吹き付け機構だけで掃除するので、効果が不充分であり、また、エアノズルのスライド機構を有するため、複雑である。
【００１１】
また、上記特許文献２に開示されている技術は、湿式フィルタに対応する技術なので、重機エンジンの吸気口に使用するエアフィルタを再生するのに直接適用できない。
【００１２】
そこで、本発明の目的は、上述の如き従来の状況に鑑み、作業員の手間を省き、粉塵暴露がなく、実施日程に制限がない、エアフィルタ再生方法及びエアフィルタ再生装置を提供することにある。
【００１３】
本発明の他の目的、本発明によって得られる具体的な利点は、以下に説明される実施の形態の説明から一層明らかにされる。
【課題を解決するための手段】
【００１４】
上述の如き従来の問題点を解決するために、本発明では、粉塵の付着したエアフィルタに対して、振動による粉塵のふるい落としと、エアの吹付による粉塵の吹き飛ばしにより、粉塵の除去を行い再生する。
【００１５】
すなわち、本発明は、少なくとも一端面が開放された中空部を有し、外周面側から流入される空気に含まれる粉塵を捕捉する濾材からなる粉塵除去機構を備える円筒形エアフィルタのフィルタ機能を再生するエアフィルタ再生方法であって、上記円筒形エアフィルタの外周面に当接される支持部を有する傾斜板の上面に上記傾斜板の傾斜方向に沿って設けられたガイドレール上に周回方向に回転自在に上記円筒形エアフィルタを載置し、上記円筒形エアフィルタに上記傾斜板を介して振動を付加することにより上記傾斜板のガイドレール上で、上記傾斜板上に回転自在に設けられ、上記傾斜板上に回転自在に載置される上記円筒形エアフィルタと連動して回転しながら上記円筒形エアフィルタの両端面をガイドするガイドローラーにより上記両端面がガイドされた状態で、上記円筒形エアフィルタを回転させながら、上記円筒形エアフィルタの内周面に圧縮空気を吹き付け、上記振動と上記圧縮空気の吹き付けにより、上記円筒形エアフィルタに付着している粉塵を除去して、エアフィルタ機能を再生することを特徴とする。
【００１６】
また、本発明は、少なくとも一端面が開放された中空部を有し、外周面側から流入される空気に含まれる粉塵を捕捉する濾材からなる粉塵除去機構を備える円筒形エアフィルタのフィルタ機能を再生するエアフィルタ再生装置であって、上記円筒形エアフィルタの外周面に当接される支持部を有する傾斜板上に周回方向に回転自在に上記円筒形エアフィルタが載置される載置部と、上記傾斜板に振動を付加する振動付加部と、上記傾斜板を緩衝材を介して支持する支持架台が設けられた筐体と、上記円筒形エアフィルタの中空部に挿入される位置に吹付ノズル管を有し、上記吹付ノズル管を介して圧縮空気を上記円筒形エアフィルタの内周面に吹き付ける圧縮空気吹付部とを備え、上記載置部は、上記傾斜板上に回転自在に設けられ、上記傾斜板上に回転自在に載置される上記円筒形エアフィルタと連動して回転しながら、上記円筒形エアフィルタの両端面をガイドするガイドローラーと、上記傾斜板の上面に上記傾斜板の傾斜方向に沿って設けられたガイドレールとを有し、上記傾斜板のガイドレール上に載置される上記円筒形エアフィルタに上記振動付加部による振動を上記傾斜板を介して付加することにより上記傾斜板のガイドレール上で上記ガイドローラーにより両端面がガイドされた状態で上記円筒形エアフィルタを回転させながら、上記圧縮空気吹付部により上記円筒形エアフィルタの内周面に圧縮空気を吹き付けて、上記振動付加部による振動と上記圧縮空気吹付部による圧縮空気の吹き付けにより、上記円筒形エアフィルタに付着している粉塵を除去して、エアフィルタ機能を再生することを特徴とする。
【００１８】
また、本発明に係るエアフィルタ再生装置において、上記傾斜板は、水平面に対して７〜８度の傾斜を有し、上記振動付加部は、振動数が５５〜６０Ｈｚの振動を上記傾斜板に付加するものとすることができる。
【００１９】
さらに、本発明に係るエアフィルタ再生装置は、例えば、上記円筒形エアフィルタから離脱して浮遊する粉塵を吸引して回収する吸引回収部を備え、上記筐体は、円筒形エアフィルタをセットするための扉と透明窓を有し、密閉されているものとすることができる。
【発明の効果】
【００２０】
本発明によれば、作業員の手間を省き、粉塵暴露がなく、実施日程に制限がない、エアフィルタ再生方法及びエアフィルタ再生装置を提供することができる。
【図面の簡単な説明】
【００２１】
【図１】本発明を適用したエアフィルタ再生装置の構成を示す平面図である。
【図２】上記エアフィルタ再生装置の構成を示す側面図である。
【図３】上記エアフィルタ再生装置に備えられたエア吹付ノズル管の横断平面図である。
【図４】上記エアフィルタ再生装置により再生する円筒形エアフィルタの構造例を示す一部縦断平面図（Ａ）及び縦断図（Ｂ）である。
【図５】上記エアフィルタ再生装置の外観斜視図である。
【発明を実施するための形態】
【００２２】
以下、本発明の実施の形態について、図１〜図５を参照しながら詳細に説明する。
【００２３】
本発明を適用したエアフィルタ再生装置１００は、粉塵の付着した円筒形エアフィルタ２００に対して、振動による粉塵のふるい落としと、エアの吹付による粉塵の吹き飛ばしにより、粉塵の除去を行いフィルタ機能を再生するもので、例えば、図１に示すように、再生する円筒形エアフィルタ２００が投入される装置本体１１０と、エアホース１１１を介して上記装置本体１１０内のエア吹付ノズル管４１に接続された空気圧縮機１２０と、エアホース１１２を介して上記装置本体１１０内の吸引ノズル８０に接続された真空掃除機１３０からなる。
【００２４】
そして、エアフィルタ再生装置１００は、少なくとも一端面が開放された中空部２１０を有し、外周面側から流入される空気に含まれる粉塵を捕捉する濾材２２０からなる粉塵除去機構を備える円筒形エアフィルタ２００のフィルタ機能を再生するものであって、図１及び図２に示すように、上記円筒形エアフィルタ２００の外周面に当接される支持部１１を有する傾斜板１２上に周回方向に回転自在に上記円筒形エアフィルタ２００が載置される載置部１０と、上記傾斜板１２に振動を付加する振動付加部２０と、上記傾斜板１２を緩衝材３１を介して支持する支持架台３２が設けられた筐体３０と、上記円筒形エアフィルタ２００の中空部２１０に挿入される位置にエア吹付ノズル管４１を有し、上記エア吹付ノズル管４１を介して圧縮空気を上記円筒形エアフィルタ２００の内周面に吹き付ける圧縮空気吹付部４０を備える。
【００２５】
ここで、図１は装置本体１１０の天板３５を除いて示した上記エアフィルタ再生装置１００の平面図であり、また、図２は装置本体１１０の側板３６を除いて示した上記エアフィルタ再生装置１００の平面図である。
【００２６】
このエアフィルタ再生装置１００における装置本体１１０の筐体３０は、図２に示すように、底板３３の下面にキャスター３７を装備することにより移動可能となっている。
【００２７】
この筐体３０の内部には、底板３３に固定された脚部３４を有する支持架台３２が設けられている。そして、再生する円筒形エアフィルタ２００が載置される傾斜板１２は、振動付加部２０として機能するバイブレータ２１とともに上記支持架台３２上に設置されている。上記傾斜板１２は、ゴムホースを用いた緩衝材３１を介して上記支持架台３２上に設置されている。
【００２８】
また、上記傾斜板１２の下端縁部分には、当該傾斜板１２に載置される円筒形エアフィルタ２００の外周面を支持する支持部１１として支持アームが立設されている。
【００２９】
上記円筒形エアフィルタ２００の外周面に当接される支持部１１を有する上記傾斜板１２は、周回方向に回転自在に上記円筒形エアフィルタ２００が載置される載置部１０として機能する。
【００３０】
また、上記バイブレータ２１は、上記支持架台３２に緩衝材３１を介して支持された上記傾斜板１２に振動を付加する振動付加部２０として機能する。
【００３１】
この実施の形態では、上記バイブレータ２１の振動数は、５７．５Ｈｚとしている。また、円筒形エアフィルタ２００が載置される上記傾斜板１２は、水平面に対し、７〜８度程度の傾斜角θをもって設置されている。
【００３２】
上記傾斜板１２に載置された円筒形エアフィルタ２００は、上記バイブレータ２１による振動が伝達されることにより、図２に示す矢印Ａ方向の周回り方向に、回転運動を行う。
【００３３】
すなわち、このエアフィルタ再生装置１００において、上記バイブレータ２１と上記傾斜板１２は、円筒形エアフィルタ２００を回転運動させる回転駆動手段として機能する。
【００３４】
また、上記傾斜板１２には、上記円筒形エアフィルタ２００を回転運動をガイドするガイドレール１３と上記円筒形エアフィルタ２００の両端面をガイドする一対のガイドローラー１４が設けられている。
【００３５】
さらに、このエアフィルタ再生装置１００は、上記傾斜板１２に載置される円筒形エアフィルタ２００の中空部２１０に挿入される位置にエア吹付ノズル管４１が設けられている。
【００３６】
このエア吹付ノズル管４１は、図３の横断平面図に示すように、上記傾斜板１２と対応する側の管面に複数のノズル孔４２が設けられている。そして、上記エア吹付ノズル管４１は、上記装置本体１１０にエアホース１１１を介して接続された空気圧縮機１２０から圧縮空気が供給されることにより、上記エア吹付ノズル管４１の複数のノズル孔４２を介して圧縮空気を上記傾斜板１２側に向かって噴射するようになっている。
【００３７】
すなわち、このエアフィルタ再生装置１００において、エアホース１１１を介して空気圧縮機１２０に接続された上記装置本体１１０内のエア吹付ノズル管４１は、上記空気圧縮機１２０から供給される圧縮空気を上記円筒形エアフィルタ２００の内周面に吹き付ける圧縮空気吹付部４０として機能する。
【００３８】
ここで、このエアフィルタ再生装置１００により再生する円筒形エアフィルタ２００は、少なくとも一端面が開放された中空部２１０を有し、外周面側から流入される空気に含まれる粉塵を捕捉する濾材２２０からなる粉塵除去機構を備える坑内車両用の円筒形エアフィルタである。
【００３９】
例えば、図４の（Ａ），（Ｂ）に円筒形エアフィルタ２００の構造例を示すように、円筒形ケーシング２３０内に、中空部２１０を有する濾材２２０からなる粉塵除去機構を収納し、蓋部材２４０で閉じられた有底円筒形状のエアフィルタである。
【００４０】
図４の（Ａ）は一部を切り欠いて示した円筒形エアフィルタ２００の縦断平面図であり、図４の（Ｂ）は図４の（Ａ）におけるＢ−Ｂ線に沿って切断して示した円筒形エアフィルタ２００の断面図である。
【００４１】
上記円筒形ケーシング２３０は、図４の（Ａ）に示すように、それぞれ多数の貫通穴２１１ａ，２１２ａが形成された内筒２１１及び外筒２１２とリング状の端板２１３、２１４からなり、上記内筒２１１と外筒２１２と間の円筒状の収納空間に濾材２２０からなる粉塵除去機構を収納し、上記収納空間がリング状の端板２１３、２１４で閉じられている。
【００４２】
濾材２２０は、濾紙や不織布などフィルタ素材を、図４の（Ｂ）に示すように、繰り返しひだ状に折り曲げ、端部同士を結合部材で結合することにより、折り線が軸方向に延在する略円筒形状に成形されており、その外周面において粉塵を捕捉する粉塵除去機構として機能する。
【００４３】
この円筒形エアフィルタ２００では、空気は、濾材２２０の外周側から内側（中心）に流れて粉塵が除去され、中心の中空部２１０を通ってエンジンに供給される。
【００４４】
このエアフィルタ再生装置１００において、上記傾斜板１２に載置された円筒形エアフィルタ２００は、その中空部２１０にエア吹付ノズル管４１が挿入された状態で、上記エア吹付ノズル管４１の複数のノズル孔４２を介して圧縮空気が上記傾斜板１２側に向かって噴射されることにより、当該円筒形エアフィルタ２００に付着している粉塵が吹き飛ばされる。
【００４５】
上記円筒形エアフィルタ２００に付着している粉塵を圧縮空気の噴射により吹き飛ばして、粉塵の除去を行う際に、上記傾斜板１２に載置された円筒形エアフィルタ２００は、上記バイブレータ２１による振動が上記傾斜板１２を介して伝達されることにより、図２に示す矢印Ａ方向に回転運動を行うので、当該回転運動によって内面全体に対して圧縮空気の吹付を行うことができる。
【００４６】
このエアフィルタ再生装置１００では、上記バイブレータ２１による振動が上記傾斜板１２を介して円筒形エアフィルタ２００に伝達されることにより、振動による粉塵のふるい落としと、上記エア吹付ノズル管４１の複数のノズル孔４２を介して圧縮空気の吹付により、粉塵の除去を行う。
【００４７】
すなわち、このエアフィルタ再生装置１００では、上記傾斜板１２に載置される上記円筒形エアフィルタ２００に上記振動付加部２０による振動を上記傾斜板１２を介して付加することにより上記傾斜板１２上で上記円筒形エアフィルタ２００を回転させながら、上記圧縮空気吹付部４０により上記円筒形エアフィルタ２００の内周面２０１に圧縮空気を吹き付けて、上記振動付加部２０による振動と上記圧縮空気吹付部４０による圧縮空気の吹き付けにより、上記円筒形エアフィルタ２００に付着している粉塵を除去して、エアフィルタ機能を再生する。
【００４８】
このエアフィルタ再生装置１００では、上記バイブレータ２１による振動が上記傾斜板１２を介して円筒形エアフィルタ２００に伝達されることにより、振動による粉塵のふるい落としと、上記エア吹付ノズル管４１の複数のノズル孔４２を介して圧縮空気の吹付により、粉塵の除去を効率よく行い、円筒形エアフィルタ２００を迅速に再生することができる。
【００４９】
すなわち、このエアフィルタ再生装置１００では、粉塵除去に使用する回転と振動を同一かつ単純な機構によって実現している。
【００５０】
なお、所要時間短縮のため、補助的に筐体３０の側壁の小孔より作業者がエアガンを用いて内外面に対してエア吹付を行うことも可能である。
【００５１】
また、このエアフィルタ再生装置１００において、粒度が大きく円筒形エアフィルタ２００よりふるい落とされた粉塵は、上記傾斜板１２を下って上記支持架台３２の下部に設けられたシュート５１へ集められ、粉塵回収容器５０に回収される。また、粒度が小さく筐体３０内に舞った粉塵は、吸引ノズル８０を介して真空掃除機１３０で集められる。
【００５２】
ここで、上記エアフィルタ再生装置１００の筐体３０は、密閉されており、粉塵の漏れ出しを生じないようになっている。円筒形エアフィルタ２００をセットするための扉３８を取り外した状態のエアフィルタ再生装置１００の外観斜視図を図５に示す。このエアフィルタ再生装置１００の筐体３０は、装置本体１１０内に円筒形エアフィルタ２００をセットするための扉３８と、装置本体１１０の内部を確認するための透明窓３９を側板３６に備えており、粉塵除去の進行状況を確認できるようになっている。
【００５３】
このエアフィルタ再生装置１００において、エアホース１１２を介して真空掃除機１３０に接続された上記装置本体１１０内の吸引ノズル８０は、上記円筒形エアフィルタ２００から離脱して浮遊する粉塵を吸引して回収する粉塵回収部として機能する。
【００５４】
このエアフィルタ再生装置１００を用いたフィルタ再生作業は、次のようにして行われる。
【００５５】
先ず、粉塵の付着した円筒形エアフィルタ２００を、その開口部に上記エア吹付ノズル４１が挿入されるようにしながら、支持架台３２の上に置く。この際、円筒形エアフィルタ２００の回転運動をガイドするガイドレール１３とガイドローラー１４に接するようセットする。
【００５６】
すなわち、上記円筒形エアフィルタ２００の外周面に当接される支持部１１を有する傾斜板１２上に周回方向に回転自在に上記円筒形エアフィルタ２００を載置する。
【００５７】
ここで、円筒形エアフィルタ２００の種類は様々であるが、このエアフィルタ再生装置１００では、上記エア吹付ノズル４１が、円筒形エアフィルタ２００の内部に挿入されるようにセットするだけでよい高さと位置に配置されており、外径３４０ｍｍ、内径２４０ｍｍ、高さが５００ｍｍの大型の円筒形エアフィルタ２００から、外径３１０ｍｍ、内径２００ｍｍ、高さ４８０ｍｍの中型の円筒形エアフィルタ２００、外径２１０ｍｍ、内径１１０ｍｍ、高さ３９０ｍｍの小型の円筒形エアフィルタ２００までの範囲では、個別に装置側の部材位置を調整する必要がない。
【００５８】
そして、円筒形エアフィルタ２００をセットした後、扉３８を閉め、真空掃除機１３０とエアフィルタ再生装置１００を起動すると、円筒形エアフィルタ２００が自発的に回転（実例では３〜５分／回転）する。その間に、振動と同時にエア吹付が行われ、円筒形エアフィルタ２００の粉塵除去は完了する。
【００５９】
すなわち、上記円筒形エアフィルタ２００に上記傾斜板１２を介して振動を付加することにより上記傾斜板１２上で上記円筒形エアフィルタ２００を回転させながら、上記円筒形エアフィルタ２００の内周面に圧縮空気を吹き付け、上記振動と上記圧縮空気の吹き付けにより、上記円筒形エアフィルタ２００に付着している粉塵を除去して、エアフィルタ機能を再生する。
【００６０】
その後、電源を切って扉３８をあけ、円筒形エアフィルタ２００を取り出す。
【００６１】
粉塵回収容器５０及び真空掃除機１３０に回収された粉塵は、容量見合いで、適宜除去作業すればよく、装置本体１１０の清掃も適宜行えばよい。
【００６２】
繰り返しも含むが、このエアフィルタ再生装置１００によって円筒形エアフィルタ２００のフィルタ機能の再生作業を行えば、粉塵を回収する手間はほとんどなく、粉塵暴露の危険性も大幅に低減される。
【００６３】
すなわち、このエアフィルタ再生装置１００を用いることにより、粉塵回収の手間は、補助的なエア吹付を行う場合を除いて、円筒形エアフィルタ２００の出し入れと粉塵回収容器５０の出し入れ、真空掃除機１３０のフィルタ交換だけとなり、従来に比べ全く容易な作業となる。具体的には、従来の所要時間は０．６人・時／個であったのに対し、技術員がエアガンで補助を行う場合には０．２人・時／個、完全自動で行う場合は１時／個である。
【００６４】
また、作業員の粉塵暴露と周囲への粉塵汚染の恐れが無くなったことで、作業箇所と作業日の制限が緩和された。
【００６５】
さらに、このエアフィルタ再生装置１００の機構は非常に単純であるため、メンテナンスや教育にかかる手間を抑制することができる。
【符号の説明】
【００６６】
１０  載置部、１１  支持部、１２  傾斜板、１３  ガイドレール、１４  ガイドローラー、２０  振動付加部、２１  バイブレータ、３０  筐体、３１  緩衝材、３２  支持架台、３３  底板、３４  脚部、３５  天板、３６  側板、３７  キャスター、３８  扉、３９  透明窓、４０  圧縮空気吹付部、４１  エア吹付ノズル管、４２  ノズル孔、５０  粉塵回収容器、５１  シュート、８０  吸引ノズル、１００  エアフィルタ再生装置、１１１，１１２  エアホース、１２０  空気圧縮機、１３０  真空掃除機、２００  円筒形エアフィルタ、２１０  中空部、２２０  濾材、２３０  円筒形ケーシング
【図１】
0005776632.tif 000002
【図２】
0005776632.tif 000003
【図３】
0005776632.tif 000004
【図４】
0005776632.tif 000005
【図５】
0005776632.tif 000006